(57)【特許請求の範囲】
【請求項１】
洋式便器のＯ型又はＵ型便座表面の左右に各々着脱自在に形成された一対の便座カバーであって、ａ．カバーシートと、ｂ．吸着面の略中央部に形成された凹部と、前記凹部の底面から貫通して穿設された挿通孔と、を備え、前記カバーシートの前部及び奥部に固定された吸盤と、ｃ．前記吸盤の上部に配設された厚地布又は革製や合成樹脂製のシートからなる前記吸盤の脱着補助部と、ｄ．前記カバーシートと前記吸盤と前記脱着補助部とを一体に固定する吸盤固定手段と、を備えていることを特徴とする便座カバー。
【請求項２】
前記吸盤固定手段が、雄嵌装部と雌嵌装部と、前記凹部に挿入される頭部とを備え、前記雄嵌装部の嵌着部が前記挿通孔に挿通される鋲状固定手段であることを特徴とする請求項１に記載の便座カバー。
【請求項３】
前記カバーシートの前部及び奥部に配設される前記便座の表面形状に沿って湾曲させた断面湾曲形状を有する前部保持板及び後部保持板と、前記前部保持板及び前記後部保持板の裏面に固定された前記吸盤及び前記脱着補助部と、を備えていることを特徴とする請求項１又は２に記載の便座カバー。
【請求項４】
前記前部保持板及び前記後部保持板に前記カバーシートを固定する固定手段を備えていることを特徴とする請求項３に記載の便座カバー。
【請求項５】
前記前部保持板及び前記後部保持板の外側のいずれか１以上におもり装着部を備えていることを特徴とする請求項３又は４に記載の便座カバー。
【発明の詳細な説明】
【０００１】
【発明の属する技術分野】
本発明は、平面形状、湾曲面形状等の吸着対象面に吸着する吸盤を備え、外出先等の洋式便器の便座に取り付けて使用する携帯可能な便座カバーに関するものである。
【０００２】
【従来の技術】
近年、家屋の壁面等に物を吊架するために、フック、タオル掛け等の掛止具を壁面に固定する手段として、吸盤が広く使用されている。吸盤を使用した場合、取り付けが容易で釘や螺子等のように壁面を傷つけることがなく、また、取り外しも容易であるため、浴室に設置されるタオル掛けや衣類等を収納するためのハンガー掛け等の日用品等に広く用いられている。
また、近年、衛生面や使い心地の面から、公衆便所等において洋式便器の便座に便座カバーを使用する習慣が定着しつつある。従来より、洋式便座のカバーとして中央に切れ目を入れた紙製の便座カバーが使用されている。しかしながら、薄手の紙を使用しているので皮膚への感触が悪いとともに、便座に固定する手段がないので用を足している際にもカバーがずれないように気を配る必要があるという課題を有している。また、公衆便所等では備付けの便座カバーが補充されていない場合も多く、不快感を我慢して用を足さなければならないという課題を有している。そのため、便座からずれにくく肌触りのよい携帯性に優れた便座カバーが種々研究開発されている。
【０００３】
従来の吸盤としては、特開平１１−３４４０２０号公報（以下、イ号公報と呼ぶ）に「吸盤と該吸盤用押圧盤及び吸着具」が開示されている。
以下に従来の吸盤について、図面を参照しながら説明する。
図９は従来の吸盤の縦断面図である。
図中、２１は従来の吸盤、２２は吸盤本体、２３は係着孔、２４は係着軸、２５は抜け止め部である。
【０００４】
以上のような構成により、抜け止め部２５により押圧盤を固定し、吸盤本体２２を吸着対象面に押圧し、係着軸２４に穿設された係着孔２３に釘や螺子等の固定具を挿着又は螺着し掛止具等を固定具により固定することで、吸着対象面に掛止具等を設置することができるので、被掛止物を吸着対象面に掛止することができるという作用を有する。
【０００５】
また、その他の吸盤としては、実開平６−４０４３５号公報（以下、ロ号公報と呼ぶ）に、「物品吊り下げ用吸着具」が開示されている。
ロ号公報の物品吊り下げ用吸着具は、バネ部材をバネ受け体と吸盤との間に介装させ係合体をバネ受け体の貫通孔に差し込み、かつ、吸盤の突起部に係合又は螺着させて、各部材を一体的に係合することにより、バネ部材の張力を調整できるので、重量の大きいものを吸着具に吊架した場合であっても落下することがないという作用を有する。
【０００６】
また、従来の便座カバーとしては、特開昭６０−１８２９２２号公報（以下、ハ号公報と呼ぶ）に「洋式トイレ用便座カバー」が開示されている。
以下に従来の便座カバーである洋式トイレ用便座カバーについて、図面を参照しながら説明する。
図１０は従来の洋式トイレ用便座カバーの斜視図である。
図中、２６は従来の洋式トイレ用便座カバー、２７は洋式便器の便座の側腕部に沿う湾曲を有する発泡ポリエチレンシート，発泡ポリウレタンシート，発泡ポリスチロール等の柔軟性シート材料からなる一対のカバー体、２８はカバー体２７の裏面に固着された真空吸着用パッドからなる止着片である。
【０００７】
以上のような構成により、洋式トイレ用便座カバー２６の止着片２８を各々便座の各側腕部表面に吸着させて固定することができるので、便座に容易に脱着させることができるとともに用を足している際にカバー体２７がずれるのを防止することができるという作用を有する。
【０００８】
また、その他の便座カバーとしては、実開平５−７４３９５号公報（以下、ニ号公報と呼ぶ）に「使い捨て便座カバー」が開示されている。
ニ号公報の便座カバーは、帯状紙をアコーディオンたたみにした便座紙の両端に接続機能をもたせ、該便座紙を単数または複数のパック処理した構成を有している。この構成により、便座紙の便座への重ねかけが容易になるとともに、アコーディオンたたみにすることで小型パック化を図れ携帯性を高めることができ、また、折り目が肌にソフトな感触を与えるという作用を有する。
【０００９】
さらに、その他の便座カバーとしては、特開平８−２２４１９２号公報（以下、ホ号公報と呼ぶ）に「便座カバー」が開示されている。
ホ号公報の便座カバーは、便座の上面形状に応じた形状をなすシートと、シートの裏面に形成された合成樹脂からなり表面に開口する気泡を有する装着層と、を備え、該装着層を便座上面に接着させる構成を有している。この構成により、装着層表面の多数の気泡が便座表面に真空吸着するので便座がずれることがなく、また、洗濯等による吸着力の低下が殆どないのでこまめに洗濯することで衛生的かつ快適に使用することができるという作用を有する。
【００１０】
【発明が解決しようとする課題】
しかしながら、上記従来の携帯用便座カバーでは、以下のような課題を有していた。
（１）イ号公報の吸盤は、係着孔に固定具を挿入又は螺着して掛止具を吸盤に固定するため、係着軸に所定の長さが必要であり吸盤が吸着した吸着対象面と掛止具との間に間隙が形成されるため、便座カバーのように使用者が直接着座するものを便座に固定するために使用した場合、便座の平滑面から突出するため使用性に欠けるという課題を有していた。
（２）ロ号公報の吸着具は、フック部材が固着されるバネ受け体の貫通孔に挿入されバネ受け体を支持する突起部が吸盤に一体的に形成されているため、吸盤と突起部の接合部が脆く、耐久性に欠けるという課題を有していた。
（３）ハ号公報の便座カバーは、シート体の裏面に止着体を固着した構成であるので、便座カバーを取り外す際に止着体の位置がわかりづらくいちいちシート体の端をめくって止着体の位置を確認する必要があり、煩雑で使用しづらいという課題を有していた。
（４）また、止着体として真空吸着用パッドを使用した場合、該パッドを強く引っ張るだけでは簡単にはずれないことがあり、その場合パッドの端を爪等で引っかけてはずさなければならず、傷や破れが生じやすく耐久性に欠けるとともに、手間がかかり高齢者や子供等が使用しづらいという課題を有していた。
（５）さらに、シート体が合成樹脂シートからなるので、繰り返し洗濯することに対する耐久性に欠けるとともに長期にわたる使用は困難であるという課題を有していた。
（６）その上、シート体が平面であるので、便座カバーの側部が便座の側部にうまく沿うように注意しながら取り付けなければならず取り付け作業性に欠けるとともに、取り付け位置がずれている場合に便座が肌に直接触れてしまうという課題を有していた。
（７）ニ号公報の便座カバーは、便座紙が便座への固定手段を備えていないので、便座カバーの装着時や用を足している際に便座紙がずれることがあり、使用時の安定性に欠けるという課題を有していた。
（８）ホ号公報の便座カバーは、シートの一面に装着層が形成されているので、コンパクトに収納しようとした場合、装着層表面の折り目部分の気泡がつぶれて吸着力が低下するため、携帯性に欠けるという課題を有していた。
（９）また、装着層は小さな気泡が多数形成されていることで吸着力を保持しているので、便座表面が汚れている場合に吸着力が発揮されにくく、用を足している際にずれるなど使用時の安定性に欠けるという課題を有していた。
【００１１】
本発明は上記従来の課題を解決するもので、便座表面に容易に脱着させることができるとともに装着時の安定性に優れ、肌触りがよく繰り返し洗濯しても風合いが失われにくく、コンパクトにたたんで携帯することが可能な便座カバーを提供することを目的とする。
【００１２】
【課題を解決するための手段】
上記従来の課題を解決するために本発明の便座カバーは、洋式便器のＯ型又はＵ型便座表面の左右に各々着脱自在に形成された一対の便座カバーであって、ａ．カバーシートと、ｂ．吸着面の略中央部に形成された凹部と、前記凹部の底面から貫通して穿設された挿通孔と、を備え、前記カバーシートの前部及び奥部に固定された吸盤と、ｃ．前記吸盤の上部に配設された革製や合成樹脂製等のシート又はフェルト等の厚地布からなる前記吸盤の脱着補助部と、ｄ．前記カバーシートと前記吸盤と前記脱着補助部とを一体に固定する吸盤固定手段と、を備えた構成を有している。
この構成により、便座表面に容易に脱着させることができるとともに装着時の安定性に優れ、肌触りがよく繰り返し洗濯しても風合いが失われにくく、コンパクトにたたんで携帯することが可能な便座カバーを提供することができる。
【００１３】
【発明の実施の形態】
本発明の請求項１に記載の便座カバーは、洋式便器のＯ型又はＵ型便座表面の左右に各々着脱自在に形成された一対の便座カバーであって、ａ．カバーシートと、ｂ．吸着面の略中央部に形成された凹部と、前記凹部の底面から貫通して穿設された挿通孔と、を備え、前記カバーシートの前部及び奥部に固定された吸盤と、ｃ．前記吸盤の上部に配設された厚地布又は革製や合成樹脂製のシートからなる前記吸盤の脱着補助部と、ｄ．前記カバーシートと前記吸盤と前記脱着補助部とを一体に固定する吸盤固定手段と、を備えた構成を有している。
この構成により、以下のような作用を有する。
（１）挿通孔にカシメ釘や螺子等の固定手段を挿通させ、吸盤に便座カバーを固定することにより、吸着対象面と被固定物との間隙を小さくすることができる。
（２）カシメ釘や螺子等を挿通孔に挿通させた際、雄嵌装部若しくは雌嵌装部の頭部が凹部に挿入されるため、該頭部が吸盤の吸着面から突出することがないので、吸盤の周壁を十分撓ませることができ吸着力を向上させることができる。
（３）便座カバーが便座表面に着脱自在な吸盤を備えているので、洋式便器の便座に吸盤を吸着固定させるだけで容易に便座カバーを使用することができる。
（４）吸盤の上部に吸盤の脱着補助部が配設されているので、便座カバーを便座より取りはずす場合に脱着補助部を引くだけで吸盤が容易にはずれる。
（５）不意に吸盤が便座からはずれても別の吸盤が吸着固定されているので、便座カバーが便座から脱落するのを防止することができる。
（６）便座カバー全体の形状を小さくすることができるので、外出時等にも容易に携帯可能になるとともに、家庭内でも個人専用便座カバーとして使用することができる。
（７）脱着補助部が吸盤の上に配設されているので、使用者の手が便座に触れることなく便座カバーをはずすことができる。
（８）カバーシートの前部と後部が吸盤で便座の所定位置に固定されるので、カバーシートを便座と肌の当接面の幅にするだけでよく、軽量でコンパクトにすることができる。
（９）カバーシートとして、柔軟性の素材を用いた場合は、折り畳んでコンパクトにケース等に収納できるので、収納性に優れる。
【００１４】
ここで、凹部は使用する固定手段の頭部の形状に合わせて平面視形状が円形又は四角形等の多角形に形成されることが好ましい。また、挿通孔は使用する固定手段の外径に合わせた大きさに形成され、凹部の内径は挿通孔の内径より大きく形成される。これにより、固定手段の頭部が挿通孔に挿入されることがなく、固定手段が抜けることがない。
【００１５】
ここで、脱着補助部としては、皮革，合成樹脂シート，フェルト等の厚地布等の丈夫で加工のしやすいものが好適に用いられる。
【００１６】
カバーシートとしては肌触りのよい柔軟性に優れたタオル，パイル，ボア，ニット等で形成されたものが好適に用いられる。また、衛生面から、抗菌作用を有する物質を定着させた生地を使用してもよい。さらに、カバーシートの大きさとしては、特に限定はされないが、肌が便座に直接当たる部分と略同一かやや大きめに形成されることが好ましい。
【００１７】
本発明の請求項２に記載の便座カバーは、請求項１に記載の便座カバーであって、前記吸盤固定手段が、雄嵌装部と雌嵌装部と、前記凹部に挿入される頭部とを備え、前記雄嵌装部の嵌着部が前記挿通孔に挿通される鋲状固定手段である構成を有している。
この構成により、請求項１で得られる作用に加え、以下のような作用を有する。
（１）鋲状固定手段の雄嵌装部と雌嵌装部により、吸盤と被固定物とを強固に固着して結合することができるので、重量の大きい被固定物であっても吸盤と被固定物との破断による分離を防ぐことができる。
【００１８】
ここで、雄嵌装部と雌嵌装部としては、雄カシメ釘と雌カシメ釘、雄螺子と袋ナット等の雌螺子、その他雄と雌を水密上に嵌装できるものが用いられる。
吸盤を保持板等に固定する鋲状固定手段としては、洗濯をしてもはずれにくいカシメ釘による固定が特に好ましい。これにより、吸盤とカシメ釘等の鋲状固定手段との間に隙間ができるのを防止し、高い吸着力を得ることができる。また、頭部は凹部に面一又は凹部の内側に固定される。これにより、高い吸着力を得ることができる。
【００２２】
本発明の請求項３に記載の便座カバーは、請求項１又は２に記載の便座カバーであって、前記カバーシートの前部及び奥部に配設される前記便座の表面形状に沿って湾曲させた断面湾曲形状を有する前部保持板及び後部保持板と、前記前部保持板及び前記後部保持板の裏面に固定された前記吸盤及び前記脱着補助部と、を備えた構成を有している。
この構成により、請求項１又は２で得られる作用に加え、以下のような作用を有する。
（１）両保持板が断面湾曲形状を有しているので、便座の側面に沿うように配設することができ、便座カバーの取り付けを誰でも容易に行うことができる。
（２）便座の左右側部に配設するので、便座の後部がカバーシートで覆われないので、洗浄機能つきの洋式便器に用いても便座カバーを濡らしたり汚すことがない。
【００２３】
ここで、前部保持板及び後部保持板としては、ＰＶＣ，ＰＥ，ＰＰ，ＰＳ，アクリル板等のプラスチック板を便座の形状に合うように湾曲させたものが好適に用いられる。また、前部保持板及び後部保持板の他、より一層使用時のずれを防止するために便座カバーの中央部等に補助保持板及び吸盤を配設してもよい。
前部保持板及び後部保持板の厚さとしては、０．１〜２．５ｍｍ，好ましくは０．５〜２ｍｍとされる。保持板の厚さが０．５ｍｍよりも薄くなるにつれ、湾曲形状を保ちにくくなるとともに耐久性に欠ける傾向がみられ、２ｍｍよりも厚くなるにつれ、加工がしにくくなるとともに弾力性に欠ける傾向がみられるので、いずれも好ましくない。さらに、０．１ｍｍよりも薄くなるか２．５ｍｍよりも厚くなるにつれ、上記傾向が著しくなるので好ましくない。
なお、便座の形状に合わせて前部保持板及び後部保持板の幅を各々異なる幅に形成することが好ましい。
【００２４】
本発明の請求項４に記載の発明は、請求項３に記載の便座カバーであって、前部保持板及び後部保持板にカバーシートを固定する固定手段を備えた構成を有している。
この構成により、請求項３で得られる作用に加え、以下のような作用を有する。
（１）両保持板とカバーシートとの固定手段を備えているので、複雑な部品を必要とせずコンパクトに一体化できる。
（２）また、便座カバーの着脱時等に余分な力が加えられても両保持板とカバーシートが分解することがない。
（３）さらに、便座カバーをそのまま洗濯機等で洗濯することができる。
【００２５】
ここで、カバーシートと両保持板を固定する方法としては、保持板の上面全体に接着剤を塗布してカバーシートの裏面を接着した後、洗濯等によってはがれないように端部をカシメ釘等の固定具によって固定する方法や、両保持板の端部に形成した固定部とカバーシートの端部とを紐や糸等で固定する方法等が用いられる。
【００２６】
請求項５に記載の発明は、請求項３又は４に記載の便座カバーであって、前部保持板及び後部保持板の外側のいずれか１以上におもり装着部を備えた構成を有している。
この構成により、請求項３又は４で得られる作用に加え、以下のような作用を有する。
（１）両保持板の外側におもり装着部を備えているので、誤って吸盤がはずれた場合にも、便座カバーはおもりによって便器の外側へ落下するので、便器の中へ落ちて汚れたり濡れたりする心配がない。
（２）おもり装着部が左右の目印となるので、便座カバーの装着が容易になるとともにトイレの中が薄暗い場合でも感触で左右を確かめることができる。
【００２７】
ここで、おもり装着部としては、前部保持板及び後部保持板の外側部を折曲して形成したものや筒状，管状に形成されたおもり装着部を前部保持板及び後部保持板の外側部に接着固定したものが好適に用いられる。
また、おもり装着部に装着されるおもりとしては、鉄，アルミ，鉛，各種合金等の金属で形成されたものが好適に用いられる。
【００２８】
以下、本発明の一実施の形態について、図面を参照しながら説明する。
（実施の形態１）
図１（ａ）は本実施の形態１における吸盤の要部斜視図であり、図１（ｂ）は図１のＡ−Ａ線の矢視断面図である。
図１において、１は本実施の形態１における吸盤、２は吸盤１が吸着する吸着対象面に対して凹状に形成される吸盤１の吸着面、３は吸着面２の略中央部に形成された平面視形状が円形の凹部、３ａは吸着面２の反対側の凹部３の対向する位置に平面状に形成された平滑面部である。なお、平滑面部３ａの代わりに吸盤１の外周面と一体に半球状等に形成してもよい。４は凹部３の底面の略中央部から吸盤１を貫通して穿設された挿通孔である。
なお、本実施の形態における吸盤１は、好適な弾性を有するように形成される。これにより吸盤１は、吸着対象面と吸盤１の吸着面２との隙間が吸盤１の弾性力により略真空に保たれることにより、吸着対象面に吸着する。また、吸着面は凹状の滑らかな曲面に形成される。
【００２９】
以上のように、本実施の形態における吸盤は構成されているので、以下のような作用を有する。
（１）挿通孔４にカシメ釘や螺子等の固定手段を挿通させ、吸盤１にフック等の掛止具や便座カバー等の被固定物を固定することにより、吸着対象面と被固定物との間隙を小さくすることができる。
（２）カシメ釘や螺子等を挿通孔４に挿通させた際、雄嵌装部の頭部が凹部３に挿入されるため雄嵌装部の頭部が吸盤１の吸着面２から突出することがないので、吸盤の吸着力を向上させることができる。
ここで、係止手段として、フック部９を有するものについて説明したが、フック部９を有しない板状の吸盤固定部１０の表面に両面テープを接着したり、面ファスナーを接着剤等で固定するか、又は、吸盤固定部１０を鉄板若しくは磁石板等で形成しても良い。
【００３０】
（実施の形態２）
図２は本実施の形態２における吸盤の組立図である。なお、図１で説明したものと同様のものは、同一の符号を付して説明を省略する。図２において、５は本実施の形態２における吸盤、６は鋲状係止手段であるカシメ釘の雄嵌装部、６ａは吸盤１の挿通孔４に挿通される雄嵌装部６の嵌着部、７は鋲状係止手段であるカシメ釘の雌嵌装部、８は係止手段、９は係止手段８の一端部をコ字形状にして形成されたフック部、１０は吸盤５の雌嵌装部７側に固定される吸盤固定部、１０ａは吸盤固定部に穿設され、挿通孔４とともに雄嵌装部６が挿通される固定孔である。
【００３１】
以上のように、本実施の形態における吸盤は構成されているので、実施の形態１で得られる作用の他、以下のような作用を有する。
（１）鋲状固定手段の雄嵌装部６と雌嵌装部７により、吸盤５と被固定物とを強固に固着して結合することができるので、重量の大きい被固定物であっても吸盤５の吸着時に吸盤５と被固定物との破断による分離を防ぐことができる。
（２）吸盤５の吸着力により係止手段８を家屋の壁面等に設置し帽子や鞄又はタオル等を係止手段８に係止することができる。
（３）両面テープを用いた場合はメモ用紙等の軽量で平面的なものを係止することができ、面ファスナーの場合は面ファスナーを備えた被係止物を係止でき、鉄若しくは磁石板の場合は被係止物を磁着できる。
【００３２】
（実施の形態３）
図３は本実施の形態３における左右一対に形成された便座カバーの一つの斜視図であり、図４は本実施の形態３における便座カバーの装着状態を示す斜視図であり、図５は本実施の形態３における便座カバーの装着状態を示す要部断面図である。
図中、１１は本実施の形態３における便座カバー、１２は後述する便座１６上面の大腿部の肌が直接当たる部分を覆う大きさに合わせて左右分割して形成されたカバーシート、１３はカバーシート１２の両端部裏面に各々接着剤及び固定具１３ａによって固定された便座６の断面形状に合わせた断面湾曲形状の保持板、１４は保持板１３のほぼ中央に吸盤固定手段１４ａによって固定された吸盤、１５は保持板１３と吸盤１４との間に配設固定された吸盤１４の脱着補助部、１６は洋式便器の便座である。
なお、本実施の形態において、カバーシート１２としてアクリル９５％，ナイロン４％，ポリウレタン１％混紡のボア地を用いているが、これに限定されるものではなく、肌触りのよいタオル，パイル，ニット等を用いてもよい。また、保持板１３として厚さ１ｍｍのＰＥ，ＰＰ，ＰＳ，ＰＶＣ等の合成樹脂板を用い、便座１６の手前部の幅に合わせた断面形状に形成された前部保持板１３ｂと、便座１６の後部の幅に合わせた断面形状に形成された後部保持板１３ｃとに形成されている。さらに、固定具１３ａとしてカシメ釘を用いているが、これに限定されるものではなく、接着剤を使用する方法や溶着する方法としてもよい。また、脱着補助部１５として革製のシートを用いているが、これに限定されるものではなく、合成樹脂シート，フェルト等の厚地布等を用いてもよい。
なお、吸盤１４としては、実施の形態１において説明したものと同様の吸盤を用いた。また、吸盤１４を固定する吸盤固定手段１４ａとしてはカシメ釘を用いているが、これに限定されるものではなく、雄螺子と袋ナット等の雌螺子等、雄と雌を水密状に嵌装できるものを用いてもよい。
【００３３】
以上のように構成された本実施の形態における便座カバーについて、以下その取り付け方法を説明する。
便座カバー１１を便座１６に取り付ける場合、便座カバー１１の吸盤１４の上部に当たる部分を便座１６に押しつけ、吸盤１４を便座１６に吸着固定させて便座カバー１１を便座１６に固定する。便座１６の左右に各々便座カバー１１を固定すると、使用時に便座１６と使用者の大腿部の肌が密着する部分のほぼ全てを覆うことができる。また、便座１６を立てても吸盤１４の吸着力によって便座カバー１１がずり落ちる心配がない。
便座カバー１１を便座よりはずす場合は、吸盤１４の上部に配設固定された脱着補助部１５を上方向へ引っ張る。これにより、脱着補助部１５と連動して吸盤１４が上方向へ引っ張られて吸着が解かれ、便座１６より簡単に脱着する。
【００３４】
便座カバー１１を収納する場合には、便座カバー１１を折り畳んでポーチ等へ収めることができる。図６は本実施の形態における便座カバーの折り畳み状態を示す斜視図である。なお、図３〜５で説明したものと同様のものは、同一の符号を付して説明を省略する。
図６に示すように、便座カバー１１の後部保持板１３ｃ側の脱着補助部１５を摘んでカバーシート１２の中央部分をひねり、折り畳みながら前部保持板１３ｂの上に後部保持板１３ｃを重ね合わせることで、便座カバー１１を小さく折り畳むことができる。このように小さく折り畳んだ状態の一対の便座カバー１１の保持板１３を全て重ね合わせて収納用のポーチ等へ収めることができる。
【００３５】
以上のように、本実施の形態における便座カバーは構成されているので、以下のような作用を有する。
（１）便座カバーの裏面に吸盤が取り付けられているので、両端部の吸盤の部分を便座表面に押しつけるだけで便座カバーを便座に容易に固定させることができ、外出先等の便所でも衛生的に安心して使用することができる。
（２）吸盤の脱着補助部を備えているので、脱着補助部を引っ張るだけで簡単に便座カバーを便座より脱着することができる。
（３）保持板が断面湾曲形状を有しているので、便座に腰掛けた状態で動いても湾曲した部分が便座に引っ掛かり、便座カバーがずれたり吸盤がはずれるのを防止することができる。
（４）後部保持板側の脱着補助部を摘んでカバーシートをひねり、後部保持板を前部保持板の上に重ね合わせて小さく折り畳むことができ、一対の便座カバーを収納用のポーチ等へ収めて携帯用として持ち歩くことができる。
（５）吸盤１４の吸着対象面である便座と便座カバー１１との間隙を小さくすることができるので、使用時に違和感がなく着座することができる。
【００３６】
（実施の形態４）
本実施の形態４における便座カバーは、実施の形態３における便座カバーの保持板を別形態としたものである。
図７は本実施の形態４における便座カバーの装着状態を示す斜視図である。なお、図３〜６で説明したものと同様のものは、同一の符号を付して説明を省略する。図７において、１３ｄは前部保持板１３ｂ及び後部保持板１３ｃの外側に形成された管状のおもり装着部、１３ｅはおもり装着部１３ｄの内部に配設された鉛製の棒状のおもりである。
【００３７】
以上のように、本実施の形態における便座カバーは構成されているので、実施の形態３で得られる作用の他、以下のような作用を有する。
（１）おもりが便座カバーの外側に配設されているので、便座から吸盤がはずれた際もおもりの重みで便座の外側へ落下し、誤って便器内へ落下することがない。
（２）おもりが便座カバーを便座に装着する際の左右の目印となるので、便座カバーの左右の装着間違いを未然に防ぐことができ、手早く装着できるとともに、便座カバーの装着位置の目安として利用することができる。
（３）また、トイレ内が薄暗い場合でも、おもり装着部の感触で便座カバーの左右の判別を容易につけることができる。
【００３８】
（実施の形態５）
図８は、本実施の形態５における便座カバーの左右一対に形成された便座カバーの一つの斜視図である。
図８において、１１は便座カバー、１２はカバーシート、１４は吸盤、１４ａは吸盤固定手段、１５は脱着補助部であり、これらは図３において説明したものと同様であるので同一の符号を付して説明を省略する。
【００３９】
本実施の形態５における便座カバーが、実施の形態３の便座カバーと異なる点は、保持板を備えていない点である。これにより、本実施の形態５における便座カバーは、便座カバー１１が柔軟に形成され、折り畳んでコンパクトに収納することができ、容易に携帯することができるという作用を有する。また、カバーシート１２の幅を便座の幅に対して狭く形成することができるので、カバーシート１２の材料の省資源性に優れ、カバーシート１２の生産性を向上させることができる。また、保持板を備えないこと及びカバーシート１２の幅を狭くすることにより、便座カバー１１の軽量化を図ることでき、コンパクトで携帯性に優れる。
なお、カバーシート１２を、幅を狭くして便座の上面側のみ、すなわち使用者の肌が接触する部分に形成されるようにした場合、水滴等の跳ね返りがカバーシートに付着することを防ぐことができ、衛生的である。
【発明の効果】
以上のように、本発明の便座カバーによれば、以下のような有利な効果が得られる。
【００４０】
請求項１に記載の発明によれば、
（１）挿通孔にカシメ釘や螺子等の固定手段を挿通させ、吸盤にフック等の掛止具や便座カバー等の被固定物を固定することにより、吸着対象面と被固定物との間隙を小さくすることができる使用性に優れた便座カバーを提供することができる。
（２）カシメ釘や螺子等を挿通孔に挿通させた際、雄嵌装部若しくは雌嵌装部の頭部が凹部に挿入されるため、該頭部が吸盤の吸着面から突出することがないので、吸盤の周壁を十分撓ませることができ吸着力を向上させることができる便座カバーを提供することができる。
（３）便座カバーが便座表面に着脱自在な吸盤を備えているので、洋式便器の便座に吸盤を吸着固定させるだけで容易に使用することのできる便座カバーを提供することができる。
（４）吸盤の上部に吸盤の脱着補助部が配設されているので、便座カバーを便座より取りはずす場合に脱着補助部を引くだけで吸盤が容易にはずれる装脱着の作業性に優れた便座カバーを提供することができる。
（５）不意に吸盤が便座からはずれても別の吸盤が吸着固定されているので、便座カバーが便座から脱落するのを防止することのできる便座カバーを提供することができる。
（６）便座カバー全体の形状を小さくすることができるので、外出時等にも容易に携帯可能になるとともに、家庭内でも個人専用便座カバーとして使用することのできる汎用性に優れた便座カバーを提供することができる。
（７）脱着補助部が吸盤の上に配設されているので、使用者の手が便座に触れることなく便座カバーをはずすことのできる衛生性に優れた便座カバーを提供することができる。
（８）カバーシートの前部と後部が吸盤で便座の所定位置に固定されるので、カバーシートを便座と肌の当接面の幅にするだけでよく、軽量でコンパクトにすることができる収納性に優れた便座カバーを提供することができる。
（９）カバーシートとして、柔軟性の素材を用いた場合は、折り畳んでコンパクトにケース等に収納できるので、収納性に優れた便座カバーを提供することができる。
【００４１】
請求項２に記載の発明によれば、請求項１の効果に加え、鋲状固定手段の雄嵌装部と雌嵌装部により、吸盤と被固定物とを強固に固着して結合することができるので、重量の大きい被固定物であっても吸盤と被固定物との破断による分離を防ぐことができる便座カバーを提供することができる。
【００４４】
請求項３に記載の発明によれば、請求項１又は２の効果に加え、
（１）保持板が断面湾曲形状を有しているので、便座の側面に沿うように配設することができ、便座カバーの取り付けを誰でも容易に行うことのできる便座カバーを提供することができる。
（２）便座の左右側部に配設するので、便座の後部がカバーシートで覆われないので、洗浄機能つきの洋式便器に用いても便座カバーを濡らしたり汚すことのない清潔性に優れた便座カバーを提供することができる。
【００４５】
請求項４に記載の発明によれば、請求項３の効果に加え、
（１）両保持板とカバーシートとの固定手段を備えているので、複雑な部品を必要とせずコンパクトに一体化できる便座カバーを提供することができる。
（２）また、便座カバーの着脱時等に余分な力が加えられても両保持板とカバーシートが分解することのない耐久性に優れた便座カバーを提供することができる。
（３）さらに、便座カバーをそのまま洗濯機等で洗濯することのできる清潔性に優れた便座カバーを提供することができる。
【００４６】
請求項５に記載の発明によれば、請求項３又は４の効果に加え、
（１）両保持板の外側におもり装着部を備えているので、誤って吸盤がはずれた場合にも、便座カバーはおもりによって便器の外側へ落下するので、便器の中へ落ちて汚れたり濡れる心配のない便座カバーを提供することができる。
（２）おもり装着部が左右の目印となるので、便座カバーの装着が容易になるとともにトイレの中が薄暗い場合でも感触で左右を確かめることのできる装着作業性に優れた便座カバーを提供することができる。
【図面の簡単な説明】
【図１】（ａ）実施の形態１における吸盤の斜視図
（ｂ）図１のＡ−Ａ線における断面図
【図２】実施の形態２における吸盤の組立図
【図３】実施の形態３における左右一対に形成された便座カバーの一つの斜視図
【図４】実施の形態３における便座カバーの装着状態を示す斜視図
【図５】実施の形態３における便座カバーの装着状態を示す要部断面図
【図６】実施の形態３における便座カバーを折り畳んだ状態を示す斜視図
【図７】実施の形態４における便座カバーの装着状態を示す斜視図
【図８】実施の形態５における左右一対に形成された便座カバーの一つの斜視図
【図９】従来の吸盤の断面図
【図１０】従来の洋式トイレ用便座カバーの斜視図
【符号の説明】
１  吸盤
２  吸着面
３  凹部
３ａ  平滑面部
４  挿通孔
５  吸盤
６  雄嵌装部
６ａ  嵌着部
７  雌嵌装部
８  係止手段
９  フック部
１０  吸盤固定部
１０ａ  固定孔
１１  便座カバー
１２  カバーシート
１３  保持板
１３ａ  固定具
１３ｂ  手前部保持板
１３ｃ  後部保持板
１３ｄ  おもり装着部
１３ｅ  おもり
１４  吸盤
１４ａ  吸盤固定手段
１５  脱着補助部
１６  便座
２１  吸盤
２２  吸盤本体
２３  係着孔
２４  係着軸
２５  抜け止め部
２６  洋式トイレ用便座カバー
２７  カバー体
２８  止着片
【図１】
0003914394.tif 000002
【図２】
0003914394.tif 000003
【図３】
0003914394.tif 000004
【図４】
0003914394.tif 000005
【図５】
0003914394.tif 000006
【図６】
0003914394.tif 000007
【図７】
0003914394.tif 000008
【図８】
0003914394.tif 000009
【図９】
0003914394.tif 000010
【図１０】
0003914394.tif 000011